(57)【特許請求の範囲】
【請求項１】
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる前記砂層を構成する第1砂層を構築すると共に、当該第1砂層の上部には、前記第1砂層の砂間に混入しない粒径をなし、前記第１砂層を構成する砂の粒径より小さい粒径の砂からなる前記砂層を構成する第２砂層を構築してなり、
前記礫層の礫の粒径と第１砂層、第２砂層の砂の粒径は、フィルター層の設計を考慮し、D15(フィルターの15%径)／d85(排水される土の85%径)＜4〜5の式を用いて決定する、
ことを特徴とする多層地盤における集排水制御構造。
【請求項２】
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる前記砂層を構成する第1砂層を構築すると共に、当該第1砂層の上部には、前記第1砂層の砂間に混入しない粒径をなし、前記第１砂層を構成する砂の粒径より小さい粒径の砂からなる前記砂層を構成する第２砂層を構築して多層地盤を形成してなり、
前記礫層の礫の粒径と第１砂層、第２砂層の砂の粒径は、フィルター層の設計を考慮し、D15(フィルターの15%径)／d85(排水される土の85%径)＜4〜5の式を用いて決定し、
該多層地盤は、傾斜地盤として形成し、下り傾斜の側方方向に集排水促進させる、
ことを特徴とする多層地盤における集排水制御構造。
【請求項３】
前記砂層は、少なくとも２層以上の複数層に構築される、
ことを特徴とする請求項１または請求項２記載の多層地盤における集排水制御構造。
【請求項４】
前記礫層の上層にある第1砂層の層厚を、横軸に体積含水率を示し、縦軸に負の圧力水頭を示したグラフで求めた砂層のサクション高から決定された当該第1砂層の有する保水性が保持できる層厚より薄厚に構成し、当該第1砂層の上層に構築した前記第1砂層の砂間に混入しない粒径をなし、前記第１砂層を構成する砂の粒径より小さい粒径の砂からなる第２砂層の保水性をも利用して集排水促進を行い、
前記保水性が保持できる
ことを特徴とする請求項１、請求項２または請求項３記載の多層地盤における集排水制御構造。
【請求項５】
前記砂層を多層に構成した際の前記第２砂層からの層厚を、横軸に体積含水率を示し、縦軸に負の圧力水頭を示したグラフで求めた砂層のサクション高から決定された砂層の有する保水性が保持できる層厚より各々薄厚に構成し、２層以上の多層に構成された砂層全体の保水性を高めて集排水促進を行う、
ことを特徴とする請求項１、請求項２、請求項３または請求項４記載の多層地盤における集排水制御構造。
【請求項６】
前記砂層の層厚は、保水性が保持できる層厚より薄厚に構成する際に、前記保水性が保持できる層厚は、横軸に体積含水率を示し、縦軸に負の圧力水頭を示したグラフで求めた砂層のサクション高で示した層厚より薄厚に決定され、前記保水性が保持できる層厚より薄厚にする厚み幅は、横軸に負の圧力水頭を示し、縦軸に体積含水率を示して形成された水分特性曲線のグラフから、該当砂層における体積含水率が高い状態でほぼフラット状態に維持されてなる点から下降する分岐点のときの負の圧力水頭で示される長さと同じ厚みで決定される、
ことを特徴とする請求項４または請求項５記載の多層地盤における集排水制御構造。
【請求項７】
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる第1砂層を構築すると共に、当該第1砂層の上部には、前記第1砂層の砂間に混入しない粒径をなし、前記第１砂層を構成する砂の粒径より小さい粒径の砂からなる第２砂層を構築してなり、
少なくとも前記各々の礫は、貝殻を粉砕して代用した、
ことを特徴とする請求項１、請求項２、請求項３、請求項４、請求項５または請求項６記載の多層地盤における集排水制御構造。
【請求項８】
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる第1砂層を構築すると共に、当該第1砂層の上部には、前記第1砂層の砂間に混入しない粒径をなし、前記第１砂層を構成する砂の粒径より小さい粒径の砂からなる第２砂層を構築してなり、
少なくとも前記各々の礫の代用とすべく、貝殻を粉砕し、かつ分級し、最適な集排水制御構造構築がなされるよう、適切大の破砕貝殻を選択、決定した、  
ことを特徴とする請求項１、請求項２、請求項３、請求項４、請求項５、請求項６または請求項７記載の多層地盤における集排水制御構造。
【発明の詳細な説明】
【技術分野】
【０００１】
本発明は、いわゆるキャピラリーバリア技術を利用した多層地盤における集排水制御構造に関するものである。
【背景技術】
【０００２】
地盤分野において、例えば、浸出水制御のための表面遮水技術の1つとしては、キャピラリーバリア（以下ＣＢと称する）という技術が一般に知られている。
【０００３】
ここで、ＣＢとは、上部排水層に砂層を、その下部に下部遮断層として礫層を２層状に配し、これら２層の毛管力の差を利用して、両層の境界面上方で側方排水を促進させ、たとえば雨水の鉛直浸透を制御するとの技術を称するものである。
【０００４】
すなわち、砂層とその下部に礫層を重ねた土層地盤では、両層の土粒子についての相対的な保水性の違いにより、砂層と礫層の境界面の上部で降下浸潤水が捕捉され、集積するのである。この機能が土の毛管障壁、すなわちＣＢと称されている。
【０００５】
そして当該ＣＢは、前記のごとく全体の地盤の保水性を高くすることができ、かつ側方排水に優れていること、ガス抜きや好気性微生物のために通気性がよいこと、砂や礫材など自然材料を使用しているため経済的であり、かつ地球環境保護に貢献していること、長耐久性、長安定性に優れていることなどのいくつもの特徴を有しており、従来より当該ＣＢ技術を利用した覆土構造などが提案されている。
【先行技術文献】
【特許文献】
【０００６】
【特許文献１】特開２００６−２３１１５６号公報
【発明の概要】
【発明が解決しようとする課題】
【０００７】
しかしながら、従来のＣＢ技術を利用した、例えば覆土構造などは、前記先行技術文献として提示した特許出願などに示されているように、上層に砂層、下層に礫層とした２層構造の覆土構造で提案されているに過ぎないものである。
【０００８】
ところで、前記ＣＢの効果は、砂と礫との保水性の違い（粒径の差異）が大きいほど好ましいとされている。しかしながら、砂径と礫径の差があまりに大きくなってしまうと、礫の間に砂が入り込んでしまい、層境界部の保水性に差がなくなってしまう。そして、その結果ＣＢ効果が全く発揮できず、逆に集排水性能が低下してしまうとの課題があった。
【０００９】
また、特に例えば沿岸域などでの集排水構造構築に際しては、当該構築に際して適切な粒径からなる、特に礫を探索するのは比較的困難でもあり、さらに海岸部近傍に多量にある貝殻を集排水構造の部材として利用できれば資源の有効利用推進、環境に配慮した自然材料の活用などがはかれるとの課題もある。
【００１０】
かくして、本発明は前記従来の課題に鑑みて創案されたものであり、例えば、砂層と礫層の粒径に大きな差をつけるのではなく、前記砂層を２層以上の多層に構成し、いわゆる砂の混入防止をも企図して徐々に粒径に差をつけて、礫間）に砂が入り込むことを防ぎつつ、層厚をその砂層が元来保有している保水性（サクション高）よりも薄くすることで、さらにその砂層の上部に位置する砂層の保水性をも活用でき、多層からなる砂層群の全体の保水性を高めて前記のＣＢ効果を向上させることができる多層地盤における集排水制御構造の提供を目的とするものである。
【００１１】
また、例えば、下部より礫層＋中砂層＋細砂層などのいわゆる２層構造以上の多層にした場合、上層と中間層および中間層と下層の2箇所以上で前述のＣＢ効果が発揮されることから、充分なＣＢ効果が得られる多層地盤における集排水制御構造を提供することを目的とするものである。
【００１２】
さらには、特に沿岸域などで、廃棄されたあるいは多量に存するカキ殻、貝殻等を粉砕・分級して、砂層の下に敷くことで、少なくとも空隙が大きな礫の代用となしえ、これにより、特に沿岸域に構築される集排水構造に最適な礫層が構築でき、しかも環境に配慮した礫の材料調達を容易にできる多層地盤における集排水制御構造を提供することを目的とするものである。
【課題を解決するための手段】
【００１３】
本発明による多層地盤における集排水制御構造は、
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる前記砂層を構成する第1砂層を構築すると共に、当該第1砂層の上部には、前記第1砂層の砂間に混入しない粒径をなし、前記第１砂層を構成する砂の粒径より小さい粒径の砂からなる前記砂層を構成する第２砂層を構築してなり、
前記礫層の礫の粒径と第１砂層、第２砂層の砂の粒径は、フィルター層の設計を考慮し、D15(フィルターの15%径)／d85(排水される土の85%径)＜4〜5の式を用いて決定する、
ことを特徴とし、
または、
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる前記砂層を構成する第1砂層を構築すると共に、当該第1砂層の上部には、前記第1砂層の砂間に混入しない粒径をなし、前記第１砂層を構成する砂の粒径より小さい粒径の砂からなる前記砂層を構成する第２砂層を構築して多層地盤を形成してなり、
前記礫層の礫の粒径と第１砂層、第２砂層の砂の粒径は、フィルター層の設計を考慮し、D15(フィルターの15%径)／d85(排水される土の85%径)＜4〜5の式を用いて決定し、
該多層地盤は、傾斜地盤として形成し、下り傾斜の側方方向に集排水促進させる、
ことを特徴とし、
または、
前記砂層は、少なくとも２層以上の複数層に構築される、
ことを特徴とし、
または、
前記礫層の上層にある第1砂層の層厚を、横軸に体積含水率を示し、縦軸に負の圧力水頭を示したグラフで求めた砂層のサクション高から決定された当該第1砂層の有する保水性が保持できる層厚より薄厚に構成し、当該第1砂層の上層に構築した前記第1砂層の砂間に混入しない粒径をなし、前記第１砂層を構成する砂の粒径より小さい粒径の砂からなる第２砂層の保水性をも利用して集排水促進を行い、
前記保水性が保持できる
ことを特徴とし、
または、
前記砂層を多層に構成した際の前記第２砂層からの層厚を、横軸に体積含水率を示し、縦軸に負の圧力水頭を示したグラフで求めた砂層のサクション高から決定された砂層の有する保水性が保持できる層厚より各々薄厚に構成し、２層以上の多層に構成された砂層全体の保水性を高めて集排水促進を行う、
ことを特徴とし、
または、
前記砂層の層厚は、保水性が保持できる層厚より薄厚に構成する際に、前記保水性が保持できる層厚は、横軸に体積含水率を示し、縦軸に負の圧力水頭を示したグラフで求めた砂層のサクション高で示した層厚より薄厚に決定され、前記保水性が保持できる層厚より薄厚にする厚み幅は、横軸に負の圧力水頭を示し、縦軸に体積含水率を示して形成された水分特性曲線のグラフから、該当砂層における体積含水率が高い状態でほぼフラット状態に維持されてなる点から下降する分岐点のときの負の圧力水頭で示される長さと同じ厚みで決定される、
ことを特徴とし、
または、
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる第1砂層を構築すると共に、当該第1砂層の上部には、前記第1砂層の砂間に混入しない粒径をなし、前記第１砂層を構成する砂の粒径より小さい粒径の砂からなる第２砂層を構築してなり、
少なくとも前記各々の礫は、貝殻を粉砕して代用した、
ことを特徴とし、
または、
キャピラリーバリア技術を利用した集排水制御構造であり、礫層の上部に砂層を構築し、前記礫層及び砂層の両層の保水性の差異から前記礫層の上層にある砂層の保水力が一定の高さとなるまで側方集排水が促進制御できる多層地盤における集排水制御構造であって、
前記礫層の上部には、礫層を構成する礫間に混入しない粒径で、前記礫の粒径より小径の粒径をなす砂からなる第1砂層を構築すると共に、当該第1砂層の上部には、前記第1砂層の砂間に混入しない粒径をなし、前記第１砂層を構成する砂の粒径より小さい粒径の砂からなる第２砂層を構築してなり、
少なくとも前記各々の礫の代用とすべく、貝殻を粉砕し、かつ分級し、最適な集排水制御構造構築がなされるよう、適切大の破砕貝殻を選択、決定した、  
ことを特徴とするものである。
【００１４】
従来のような２層構造（礫層と砂層）ではなく、前述したように粒径に配慮した砂層を２層以上積み重ねて複数層とし、該複数の砂層を礫層の上部に構築することで、礫間に砂が混入すること防ぎつつ、効果的なＣＢ機能を発揮できるものとなる。
【００１５】
また、
資源の有効利用推進、環境に配慮した自然材料の活用などの目的のため、海岸に大量に存する貝殻等を粉砕・分級（大きさを調整）して敷いた層を、ＣＢの少なくとも礫層として代用できる。
【発明の効果】
【００１６】
かくして、本発明による多層地盤における集排水制御構造によれば、
砂層と礫層の粒径に大きな差をつけるのではなく、前記砂層を２層以上の多層に構成し、いわゆる砂の混入防止をも企図して徐々に粒径に差をつけて、礫間に砂が入り込むことを防ぎつつ、層厚をその砂層が保有している保水性（サクション高）よりも薄くすることで、さらにその砂層の上部に位置する砂層の保水性をも活用でき、多層からなる砂層群全体の保水性をも高めて前記のＣＢ効果を向上させることができるとの優れた効果を奏する。
【００１７】
また、例えば、下部より礫層＋中砂層＋細砂層などのいわゆる２層構造以上の多層にした場合、上層と中間層および中間層と下層の2箇所以上で前述のＣＢ効果が発揮されることから、充分なＣＢ効果が得られるとの優れた効果を奏する。
【００１８】
さらには、特に沿岸域などで、廃棄されたあるいは多量に存するカキ殻、貝殻等を粉砕・分級して、砂層の下に敷くことで、少なくとも空隙が大きな礫の代用となしえ、これにより、特に沿岸域に構築される集排水構造に最適な礫層が構築でき、しかも環境に配慮した礫の材料調達を容易にできるとの優れた効果を奏するものである。
【図面の簡単な説明】
【００１９】
【図１】本発明の該略構成を説明する概略構成説明図（その１）である。
【図２】本発明の該略構成を説明する概略構成説明図（その２）である。
【図３】ＣＢ構造構築に使用する砂や礫のサクション高を求めた値を示すグラフである。
【図４】ＣＢ構造構築に使用する砂や礫の水分特性曲線を求めた値を示すグラフである。
【図５】貝殻を「礫」などの代用とする手順を表した説明図（その1）である。
【図６】貝殻を「礫」などの代用とする手順を表した説明図（その２）である。
【図７】貝殻を「礫」などの代用とする手順を表した説明図（その３）である。
【図８】従来のＣＢ構造の構成を説明する概略構成説明図である。
【発明を実施するための形態】
【００２０】
以下本発明を図に示す実施例に基づいて説明する。
【実施例】
【００２１】
本発明は、礫層の上部に砂層を構築し、前記両層の保水性の差異から前記礫層の上層にある砂層の保水力が一定の高さとなるまでは側方集排水が促進制御できる、いわゆるＣＢ効果を発揮させた多層地盤における集排水制御構造に関している。
【００２２】
図１から理解されるように、礫層１の上部には、礫２間に混入しない粒径で前記礫２の粒径より小径の粒径からなる砂３からなる第１砂層４が構築されている。
【００２３】
次いで、前記第１砂層４の上部には、前記第１砂層４の砂３より粒径の小さい砂６からなり、かつ前記第１砂層４の砂３間に混入しない粒径の砂６からなる第２砂層５が構築されている。
【００２４】
尚、図には示してはいないが、前述したように3層構造ではなく、砂層を多層構造にし、4層構造、5層構造、6層構造に形成してもかまわないものである。しかし、これらの場合も、上層にある層の砂層となる砂の粒径は、その下の層に形成された層の砂粒径より小径で、かつ当該砂の間に混入しない粒径に構成することが重要である。
【００２５】
図２は、本発明による多層地盤に傾斜をもたせて形成したもので、例えばＣＢによる側方集排水となる集積流１１は下り傾斜側に向って流れ、集排水促進されるものとなる。
【００２６】
さらに、図２から理解されるように、それぞれの礫層１及び第１砂層４あるいは第２砂層５の層厚は、各々有している保水性を示すサクション高より薄厚の層厚に構成するものとする。
【００２７】
一例を挙げて説明すると、通常では、礫層１の層厚は20ｃｍ乃至30ｃｍに構成され、その上方の第１砂層４あるいは第２砂層５の層厚は50ｃｍ乃至60ｃｍ程度に構成されるが、本発明ではそれよりも薄厚に構成される。
【００２８】
図４から理解されるように、前記所定の粒径の砂3からなる第１砂層４の水分特性曲線を検査してみると、この砂３の体積含水率はほぼ０．４の値で、横軸に示す負の圧力水頭ｈが１ｃｍより略２０ｃｍに至るまでフラットの状態が維持されている。そして、前記負の圧力水頭ｈが２０ｃｍを過ぎたところから前記体積含水率が下降することが理解できる。
【００２９】
よって、砂３の試験結果によって構成された第１砂層４の水分特性曲線を示すグラフ、図４を参照し、本来、図３に示すように第１砂層４のサクション高は５０ｃｍ以上であるが、図４のグラフから、第１砂層４の層厚を２０ｃｍと前記のサクション高より薄厚に決定しているのである。
しかして、砂６により構成された第２砂層５の層厚についても、同様の決定がなされるものとなる。
【００３０】
このように、第１砂層４及び第２砂層５の層厚を、各々有するサクション高（保水性の高さを示す。）より薄くすることにより、第２砂層５の有する保水性により第１砂層４の保水性をより高めることができ、ひいては多層に構成された砂層全体としての保水性を確保することができるものとなる。
【００３１】
図２にはその具体例が示されており、第１砂層４及び第２砂層５内で、かつ第１砂層４及び第２砂層５と、それらの下に施工された下層との境界線上方位置に側方集排水の集積流が複数形成され、もって充分なＣＢ効果が発揮できることになる。
【００３２】
すなわち前述したように、各層の層厚を薄くすることで、各層の土粒子についての相対的な保水性の違いがより顕著となり、もってこの違いにより、第１砂層４と礫層１あるいは第２砂層５と第１砂層4との境界面の上部で各々降下浸潤水が捕捉され、集積され、集積流１１が生じ、側方集排水が促進されているのである。
【００３３】
以上において、本発明による多層地盤の形成は、まず、使用する各種の砂と礫の保水性を調査すべく、図４に示す水分特性曲線を室内試験よりあらかじめこれを求めておく。これにより、前記多層地盤を形成すべき箇所に最適な砂や礫の選択を容易にするものとなる。
【００３４】
さらに、いわゆるフィルター層の設計を考慮し、例えば、D15(フィルターの15%径)／d85(排水される土の85%径)＜4〜5  などとして、多層地盤を形成する上層、下層を形成する砂あるいは礫の粒径を決定し、いずれを使用するか選定する。
【００３５】
尚、前述したように、礫層１の上層に配置される第１砂層４の施工は、各砂層の保水性(サクション高)より薄い層厚で施工することがポイントである。
【００３６】
次に、下部に位置する礫層１より上層の砂層を順次締め固めながらいわゆるＣＢを施工していく。
【００３７】
尚、この際、前記ＣＢ構造に傾斜をつけることにより、前述した図２に示すように第１砂層４と礫層１の境界面上方で及び第２砂層５と第１砂層４との境界面上方で降下浸潤水が捕捉されやすくなり、集積したものを、下り傾斜方向に流下させることが可能となる。
【００３８】
図５乃至図７に本発明における他の実施例を示す。
本実施例は前記少なくとも礫２について、貝殻７を粉砕して代用する実施例を示したものである。
【００３９】
いわゆるＣＢ構造を建設する際には、適切な粒径で、かつ充分に必要量が賄える「砂」や「礫」が準備されていなければならない。しかし、この「砂」や「礫」が多層地盤構造建設箇所の近傍で容易に調達できないことがままある。そこで、例えば沿岸域などの近傍位置における多層地盤構造建設箇所での「砂」、特に「礫」の調達に際しては、沿岸域に大量に存在する貝殻７を破砕し、これを「礫」の代用とすることが考えられるのである。
【００４０】
図５では、沿岸域に大量にある貝殻７を重機８で収集する状態の一例を示したものであるが決してこの図に限定されるものではない。そしてこれら貝殻7を一箇所に収集し、その後、収集した貝殻７を破砕機９に投入して所定の大きさに破砕していく（図6参照）。尚、図６に示した方法も一例であり、この方法に限定されるものではない。
【００４１】
次に、図７に示すように破砕した貝殻7を分級、ふるい分けし、それぞれの大きさ別に収集する。この図7に示す分級、ふるい分け方法も一例に過ぎず、決してこの方法に限定されない。
しかして、これらの破砕物を「砂」や「礫」の代用として使用すればよいのである。
【００４２】
ここで、貝殻７などを「砂」や「礫」の代用として使用する手順を説明すると、まず、前記説明したように、海岸部に多量にある貝殻７等を選択収集した上で、前述のように破砕機９等で破砕する。
【００４３】
破砕した際には、細粒分を含む大きさの異なる破砕材となるため、特に、これを礫層１に代用するためには、例えば図７に示すようにふるい10などを用い、これにより分級・ふるい分けして、細粒分や大きな破砕片を取り除く必要がある。
しかして、分級し・ふるい分けしたカキの殻や貝殻７等を現地（斜面等）に礫２の代用として静的にほぼ等厚になるよう排水勾配を付けて構築する。
【００４４】
その上方に、例えば３層をなす多層地盤の構築であれば、第１砂層４及び第２砂層５を所定の厚さにほぼ均等になるように構築し、いわゆるＣＢ構造を完成させるのである。
【００４５】
尚、前記第１砂層４及び第２砂層５の構築に際しては、沿岸域に大量の砂があるため、破砕した貝殻７をあえて代用しなくともよいが、前記破砕した貝殻７などを砂３あるいは礫２に代えて使用してもかまわないものである。  
【産業上の利用可能性】
【００４６】
本発明による多層地盤における集排水制御構造は、例えば埋め立て廃棄物の浸透水制御に、あるいは廃棄物処分場における覆土構造などに利用できる。すなわち、覆土等の上部に、本発明によるＣＢ構造の多層地盤を構築した際には、雨水等の上部からの浸透を大幅に減少させることが可能になる（廃棄物処分場の閉鎖時に活用可能）。
【００４７】
また、斜面近傍に本発明によるＣＢ構造の多層地盤を構築した際には、雨水の浸透制御と共に、浸透した雨水等をすみやかに盛土等の外部へ排水させることが可能になる（斜面防災などへの活用可能）。
【００４８】
そして、上記のＣＢ構造の多層地盤を３層以上に重ね合わせることで、その効果を増大させることができるのである。
【符号の説明】
【００４９】
１      礫層
２      礫
３      砂
４      第１砂層
５      第２砂層
６      砂
７      貝殻 
８      重機
９      破砕機
１０    ふるい
１１    集積流
【図１】
0005804621.tif 000002
【図２】
0005804621.tif 000003
【図３】
0005804621.tif 000004
【図４】
0005804621.tif 000005
【図５】
0005804621.tif 000006
【図６】
0005804621.tif 000007
【図７】
0005804621.tif 000008
【図８】
0005804621.tif 000009